(57)【特許請求の範囲】
【請求項１】
フレームグランドパターンが表面に形成された基板と、
光ケーブルカプラを保持するための溝が上面から内部にかけて形成されている導電性のホルダと、
前記光ケーブルカプラを保持した前記ホルダを、前記フレームグランドパターンに接着する導電性の接着手段と、
前記光ケーブルカプラを保持した前記ホルダの上面を覆い、かつ、前記光ケーブルカプラの両端は露出させる金具と、
前記金具を前記プリント基板に固定する固定手段と
を有することを特徴とする光ケーブルカプラの固定構造。
【請求項２】
前記導電性のホルダは、前記光ケーブルカプラを保持する溝が上面から内部にかけて形成された、導電性のゴムからなることを特徴とする請求項１記載の光ケーブルカプラの固定構造。
【請求項３】
前記導電性の接着手段は、前記ホルダの前記溝が形成されていない側のホルダ底面と前記フレームグランドパターンとを接着する導電性の両面テープであることを特徴とする請求項１又は２記載の光ケーブルカプラの固定構造。
【請求項４】
前記金具は、複数箇所にネジ穴が螺刻されており、前記固定手段は、前記基板の裏面から前記金具のネジ穴に螺合して、前記基板に前記金具を締結するネジであることを特徴とする請求項１乃至３のうちいずれか一項記載の光ケーブルカプラの固定構造。
【請求項５】
前記ホルダに形成された前記溝は、ホルダ上面における幅が前記光ケーブルカプラの直径よりも小なる幅であり、ホルダ内部の形状が前記光ケーブルカプラの外周部の大部分と接触して保持する断面形状とされていることを特徴とする請求項２記載の光ケーブルカプラの固定構造。
【請求項６】
前記ホルダは、複数の光ケーブルカプラを別々に保持する複数の溝が上面から内部にかけて形成されていることを特徴とする請求項１、２又は５記載の光ケーブルカプラの固定構造。
【発明の詳細な説明】
【０００１】
【発明の属する技術分野】
本発明は光ケーブルカプラの固定構造に係り、特に基板上で光ケーブル同士を接続する光ケーブルカプラの基板に対する固定構造に関する。
【０００２】
【従来の技術】
図５は従来の光ケーブルカプラの基板に対する固定構造の一例の斜視図、図６は図５の固定構造の分解斜視図を示す。両図中、同一構成部分には同一符号を付してある。両図において、通信機器等で使用するプリント基板１上には、光ケーブル接続コネクタ２と光ケーブル接続コネクタ３及び４とがそれぞれ左右両端位置に搭載され、また、光ケーブル接続コネクタ２に一端が接続された光ケーブル７ａと、光ケーブル接続コネクタ３、４にそれぞれ一端が接続された光ケーブル８ａ及び９ａとが、光ケーブルカプラ５により接続されており、更に、光ケーブル接続コネクタ２に一端が接続された光ケーブル７ｂと、光ケーブル接続コネクタ３、４にそれぞれ一端が接続された光ケーブル８ｂ及び９ｂとが、光ケーブルカプラ６により接続されている。
【０００３】
光ケーブルカプラ５及び６は、プリント基板１の平面に対して平行に配置され、また、ゴム板１０及び１１の間に共に狭持されている。更に、ゴム板１１の上にはゴム板１１を覆うようにプレート１２が配置され、プレート１２に設けられている２つのネジ穴のそれぞれに、プリント基板１の裏面からネジ１３ａ及び１３ｂを挿通し、ネジ１３ａ及びネジ１３ｂとナット１４ａ及び１４ｂによりプリント基板１上に光ケーブルカプラ５及び６が固定されている。
【０００４】
【発明が解決しようとする課題】
しかしながら、光ケーブルカプラ５及び６とプレート１２はいずれも金属製であるのに対し、ゴム板１０及び１１は非導電性のゴムにより構成されているため、光ケーブルカプラ５及び６には静電気が帯電し易く、帯電した静電気によりプリント基板１に実装されている他の電気部品に悪影響を及ぼすことがある。
【０００５】
また、光ケーブルカプラ５及び６をゴム板１０及び１１により狭持した状態でプリント基板１上に固定しているのは、ゴム板１０及び１１の比較的大きな摩擦力を利用して、振動などがあってもずれないようにプリント基板１上に固定するためであるが、地震や輸送振動などの大きな振動が発生した場合は、上記のゴム板１０及び１１による摩擦力だけでは十分でなく、そのため、光ケーブルカプラ５及び６がずれたり、甚だしい場合はプリント基板１上から脱落することがある。
【０００６】
本発明は以上の点に鑑みなされたもので、静電気による電気部品への悪影響を防止し得る光ケーブルカプラの固定構造を提供することを目的とする。
【０００７】
また、本発明の他の目的は、大きな振動に対しても光ケーブルカプラがずれたり、脱落しないように基板上に固定し得る光ケーブルカプラの固定構造を提供することにある。
【０００８】
【課題を解決するための手段】
本発明は上記の目的を達成するため、フレームグランドパターンが表面に形成された基板と、光ケーブルカプラを保持するための溝が上面から内部にかけて形成されている導電性のホルダと、光ケーブルカプラを保持したホルダを、フレームグランドパターンに接着する導電性の接着手段と、光ケーブルカプラを保持したホルダの上面を覆い、かつ、光ケーブルカプラの両端は露出させる金具と、金具をプリント基板に固定する固定手段とを有することを特徴とする。
【０００９】
この発明では、光ケーブルカプラに帯電した静電気は、導電性のホルダと導電性の接着手段を経由してフレームグランドパターンに到るようにすることができる。また、この発明では、光ケーブルカプラは、ホルダの溝内に保持されるため、平面のゴム板で光ケーブルカプラの両側を狭持して保持する方法に比べて、保持力を大にできる。
【００１０】
また、本発明は、上記の目的を達成するため、上記の導電性のホルダを、光ケーブルカプラを保持する溝が上面から内部にかけて形成された、導電性のゴムからなる構成としたものである。この発明では、ホルダが導電性のゴムにより構成されているため、ゴム成形による形状の自由度大の利点により、ゴム板で光ケーブルカプラの両側を狭持して保持する方法に比べて、光ケーブルカプラとの接触面積の拡大ができる。
【００１１】
また、本発明は上記の目的を達成するため、上記の導電性の接着手段を、ホルダの溝が形成されていない側のホルダ底面とフレームグランドパターンとを接着する導電性の両面テープであることを特徴とする。
【００１２】
また、本発明は、上記の金具を、複数箇所にネジ穴が螺刻されており、上記の固定手段を、基板の裏面から金具のネジ穴に螺合して、基板に金具を締結するネジであることが、簡単に金具の締結ができる点で望ましい。
【００１３】
また、本発明は、上記の目的を達成するため、ホルダに形成された溝は、ホルダ上面における幅が光ケーブルカプラの直径よりも小なる幅であり、ホルダ内部の形状が光ケーブルカプラの外周部の大部分と接触して保持する断面形状とされていることを特徴とする。この発明では、ゴム板で光ケーブルカプラの両側を狭持して保持する方法に比べて、光ケーブルカプラとの接触面積の拡大及び保持力の増大が実現できる。ここで、上記のホルダは、複数の光ケーブルカプラを別々に保持する複数の溝が上面から内部にかけて形成されていてもよい。
【００１４】
【発明の実施の形態】
次に、本発明の実施の形態について図面と共に説明する。図１は本発明になる光ケーブルカプラの固定構造の一実施の形態の斜視図、図２は本発明になる光ケーブルカプラの固定構造の一実施の形態の分解斜視図を示す。両図中、図５及び図６と同一構成部分には同一符号を付してある。
【００１５】
図１及び図２において、通信機器等で使用するプリント基板１６上には、光ケーブル接続コネクタ２と光ケーブル接続コネクタ３及び４とがそれぞれ左右両端位置に搭載され、また、光ケーブル７ａと光ケーブル８ａ及び９ａとが、光ケーブルカプラ５により接続されており、更に、光ケーブル７ｂと光ケーブル８ｂ及び９ｂとが光ケーブルカプラ６により接続されている点は、従来のプリント基板１と同様であるが、このプリント基板１６の光ケーブル接続コネクタ２〜４が形成されている側の表面上には、所定の面積のフレームグランド（アース）パターン１７が形成されると共に、フレームグランドパターン１７内の上下２個所に孔１８ａ及び１８ｂが穿設されている点が、従来のプリント基板１と異なる。
【００１６】
ホルダ１９は導電性のゴムで構成されており、また、図２に示すように、上面に２つの光ケーブルカプラ５及び６が圧入されてこれを保持するための２つの溝１９ａ及び１９ｂが形成されており、底面に貼り付けられた導電性両面テープ（図示せず）により、プリント基板１６のフレームグランドパターン１７に貼り付けられる。
【００１７】
フレームグランドパターン１７に貼り付けられたホルダ１９の溝１９ａ及び１９ｂに光ケーブルカプラ５及び６を保持した後、ホルダ１９の上面を覆い、かつ、光ケーブルカプラ５及び６の各両端は露出させるように金具２０が配置される。金具２０には、孔１８ａ、１８ｂと対応する位置にネジ穴２１ａ及び２１ｂが螺刻されている。これにより、プリント基板１６の裏面側からネジ２２ａ、２２ｂを孔１８ａ、１８ｂを通して金具２０のネジ穴２１ａ、２１ｂに螺合することで、金具２０がプリント基板１６に図１に示すように締結される。金具２０はホルダ１９の溝１９ａ及び１９ｂに保持された光ケーブルカプラ５及び６の脱落防止のためにホルダ１９に被せられる。
【００１８】
次に、本実施の形態における静電気の経路について説明する。図３（Ａ）に示す本発明の実施の形態の光ケーブルカプラの固定構造を平面２５で切断したときの断面図を図３（Ｂ）に示す。同図（Ｂ）中、図１及び図２と同一構成部分には同一符号を付し、その説明を省略する。図３（Ｂ）において、導電性ゴム製のホルダ１９は導電性両面テープ２６によりフレームグランドパターン１７に固定されている。また、ホルダ１９を覆うように金具２０がプリント基板１６上にネジ２２ａ及び２２ｂにより固定されている。
【００１９】
ここで、金属製の光ケーブルカプラ５及び６に帯電した静電気は、図３（Ｂ）に矢印３１及び３２で示すように、導電性ゴムを使用したホルダ１９に伝わり、更に導電性両面テープ２６を経由してプリント基板１６上に設けられたフレームグランドパターン１７に伝わる。フレームグランドパターン１７は、プリント基板１６を実装する装置のフレームグランド（アース）に接続されているため、金属製の光ケーブルカプラ５及び６に帯電した静電気を、フレームグランドパターン１７から装置外へ逃がすことができる。
【００２０】
また、本実施の形態では、ゴム製のホルダ１９に形成されている２つの溝１９ａ及び１９ｂの断面形状は、図３（Ｂ）に示すように、光ケーブルカプラ５及び６の外周部の大部分と接触して保持するような接触面積が大なる形状であり、また、ホルダ１９はゴム製であるので、光ケーブルカプラ５及び６を溝１９ａ及び１９ｂに保持する際には、光ケーブルカプラ５及び６の断面の直径よりも若干小なる幅とされた溝を開きながら圧入する構造であるため、ずれにくくでき、以上より、従来に比べて、地震や輸送振動があっても、光ケーブルカプラ５及び６がずれたり、脱落しないようにできる。
【００２１】
次に、本発明の他の実施の形態について説明する。図４は本発明になる光ケーブルカプラの固定構造の他の実施の形態の斜視図を示す。同図中、図１と同一構成部分には同一符号を付し、その説明を省略する。図４に示す実施の形態は、プリント基板１６上に更に一つの光ケーブル接続コネクタ３７を追加し、光ケーブル接続コネクタ２に一端が接続された光ケーブル７ｃと、光ケーブル９ｂ及び光ケーブル接続コネクタ３７に一端が接続された光ケーブル３８ａとを光ケーブルカプラ３６で接続するようにしたものである。
【００２２】
この実施の形態では、導電性のゴムからなるホルダ３５は、互いに平行に配置された３つの光ケーブルカプラ５、６及び３６を、３つの溝でそれぞれ別々に保持する構成であり、また、ホルダ３５はその底面が、導電性両面テープを介してプリント基板１６のフレームグランドパターンに貼り付け固定されている。更に、ホルダ３５を覆うように金具２０がプリント基板１６にネジ止め固定されている。これにより、光ケーブルカプラが３つでも、ホルダ３５の形状を変え、また、金具２０の大きさを変えることにより、図１の実施の形態と同様の効果を得ることができる。
【００２３】
なお、本発明は以上の実施の形態に限定されるものではなく、光ケーブルカプラの数は１又は４以上であっても、ホルダ及び金具の形状を光ケーブルカプラの数に対応して変えることにより、本発明を適用できることは勿論である。また、導電性両面テープ２６の代わりに、導電性の接着剤でホルダ１９、３５をフレームグランドパターン１７に接着することも可能である。
【００２４】
【発明の効果】
以上説明したように、本発明によれば、光ケーブルカプラに帯電した静電気を、導電性のホルダと導電性の接着手段を経由してフレームグランドパターンに到ることにより、フレームグランドパターンは基板を実装する装置のフレームグランド（アース）に接続されるため、静電気を装置外へ逃がすことができ、このことから静電気による他の電気部品への悪影響を防止することができる。
【００２５】
また、本発明によれば、光ケーブルカプラを、ホルダの溝内に保持することにより、平面のゴム板で光ケーブルカプラの両側を狭持して保持する方法に比べて、保持力を大にできるようにしたため、地震や輸送時の揺れが生じても、光ケーブルカプラがホルダからずれたり、基板上から脱落しないようにでき、確実な固定ができる。
【図面の簡単な説明】
【図１】本発明の一実施の形態の斜視図である。
【図２】本発明の一実施の形態の分解斜視図である。
【図３】本発明の一実施形態の斜視図と静電気の経路を説明する断面図である。
【図４】本発明の他の実施の形態の斜視図である。
【図５】従来の一例の斜視図である。
【図６】従来の一例の分解斜視図である。
【符号の説明】
２、３、４、３７  光ケーブル接続コネクタ
５、６、３６  光ケーブルカプラ
７ａ、７ｂ、７ｃ、８ａ、８ｂ、９ａ、９ｂ、３８ａ、３８ｂ  光ケーブル
１６  プリント基板
１７  フレームグランドパターン
１８ａ、１８ｂ  孔
１９、３５  ホルダ
２０  金具
２２ａ、２２ｂ  ネジ
２６  導電性両面テープ
【図１】
0003709347.tif 000002
【図２】
0003709347.tif 000003
【図３】
0003709347.tif 000004
【図４】
0003709347.tif 000005
【図５】
0003709347.tif 000006
【図６】
0003709347.tif 000007